(57)【要約】  本明細書に記載されている発明は一般に、溶接作業のためのアーク電流、溶接作業のためのアーク電圧、溶接作業のためのワイヤ送給速度、または溶接作業を実行するトーチ（３０、４２０）の高さのうちの少なくとも１つの調節に関するシステム（１００、３００、４００）および方法に関する。特に、パラメータを、例えば使用者入力に基づいて更新でき、アーク電流、アーク電圧、ワイヤ送給速度、またはトーチ（３０、４２０）の高さを、溶接作業を実行するために校正できる。具体的には、パラメータが使用者入力を介して受け取った設定に調節または移行されている間に、トーチ（３０、４２０）の高さおよび／またはアーク電流レベル、アーク電圧、ワイヤ送給速度のうちの少なくとも１つは、そのパラメータについて設定が達成されるまで保持される。パラメータが設定に達したところで、第二のアーク電流レベル、第二のアーク電圧、第二のワイヤ送給速度、またはトーチ（３０、４２０）の第二の高さを実現して溶接作業を実行する。【選択図】図４
2016540650.tif 000002
【特許請求の範囲】
【請求項１】
溶接作業で使用される電極（３２、４０６）を含む溶接トーチ（３０、４２０）であって、前記溶接作業がミグ溶接作業である溶接トーチ（３０、４２０）と、
前記電極（３２、４０６）と被加工物（Ｗ）との間にアークを生成する電源（４１０）と、
前記溶接トーチ（３０、４２０）の高さを、前記溶接作業に使用されるアーク電流に基づいて調節するコントローラ（４３０）と、
パラメータに関する数値であって、前記パラメータに関する前記数値が変化すると、前記溶接作業のための前記アーク電流に影響を与えるようなパラメータの数値を受け取る検出コンポーネント（４４０）と、
前記溶接作業のための第二のアーク電流レベルまたは前記溶接トーチ（３０、４２０）の第二の高さのうちの少なくとも一方を、前記パラメータに関する前記数値に基づいて計算する校正コンポーネント（４６０）と、
を含む溶接システム（１００、３００、４００）において、
前記コントローラ（４３０）は、前記パラメータを前記数値へと移行させて溶接機器を調節し、
前記コントローラ（４３０）は、前記パラメータが前記数値へと移行されると、前記溶接トーチ（３０、４２０）を前記第二の高さに、または前記アーク電流を前記第二のアーク電流に調節する
ことを特徴とする溶接システム（１００、３００、４００）。
【請求項２】
溶接作業で使用される電極（３２、４０６）を含む溶接トーチ（３０、４２０）であって、前記溶接作業がティグ溶接作業である溶接トーチ（３０、４２０）と、
前記電極（３２、４０６）と被加工物（Ｗ）との間にアークを生成する電源（４１０）と、
前記溶接トーチ（３０、４２０）の高さを、前記溶接作業に使用されるアーク電圧に基づいて調節するコントローラ（４３０）と、
パラメータに関する数値であって、前記パラメータに関する前記数値が変化すると、前記溶接作業のための前記アーク電圧に影響を与えるようなパラメータの数値を受け取る検出コンポーネント（４４０）と、
前記溶接作業のための第二のアーク電圧レベルまたは前記溶接トーチ（３０、４２０）の第二の高さのうちの少なくとも一方を、前記パラメータに関する前記数値に基づいて計算する校正コンポーネント（４６０）と、
を含む溶接システム（１００、３００、４００）において、
前記コントローラ（４３０）は、前記パラメータを前記数値へと移行させて溶接機器を調節し、
前記コントローラ（４３０）は、前記パラメータが前記数値へと移行されると、前記溶接トーチ（３０、４２０）を前記第二の高さに、または前記アーク電圧を前記第二のアーク電圧に調節する
ことを特徴とする溶接システム（１００、３００、４００）。
【請求項３】
溶接作業で使用される電極（３２、４０６）を含む溶接トーチ（３０、４２０）であって、前記溶接作業がサブアーク溶接作業である溶接トーチ（３０、４２０）と、
前記電極（３２、４０６）と被加工物（Ｗ）との間にアークを生成する電源（４１０）と、
前記溶接トーチの高さを、前記溶接作業に使用されるワイヤ送給速度に基づいて調節するコントローラ（４３０）と、
パラメータに関する数値であって、前記パラメータに関する前記数値が変化すると、前記溶接作業のための前記ワイヤ送給速度に影響を与えるような数値を受け取る検出コンポーネント（４４０）と、
前記溶接作業のための第二のワイヤ送給速度または前記溶接トーチの第二の高さのうちの少なくとも一方を、前記パラメータに関する前記数値に基づいて計算する校正コンポーネント（４６０）と、
を含む溶接システム（１００、３００、４００）において、
前記コントローラ（４３０）は、前記パラメータを前記数値へと移行させて溶接機器を調節し、
前記コントローラ（４３０）は、前記パラメータが前記数値へと移行されると、前記溶接トーチ（３０、４２０）を前記第二の高さに、または前記ワイヤ送給速度を前記第二のワイヤ送給速度に調節する
ことを特徴とする溶接システム（１００、３００、４００）。
【請求項４】
請求項１乃至３の何れか１項に記載の溶接システム（１００、３００、４００）において、
前記コントローラ（４３０）は前記溶接トーチを前記第二の高さに、または前記アーク電圧を前記第二のアーク電圧へと移行フェーズで移行させ、または前記コントローラ（４３０）は、前記溶接トーチを前記第二の高さへ、または前記アーク電流を前記第二のアーク電流へと移行フェーズで移行させ、前記コントローラ（４３０）は、前記溶接トーチを前記第二の高さへ、または前記ワイヤ送給速度を前記第二のワイヤ送給速度へと移行フェーズで移行させること特徴とする溶接システム（１００、３００、４００）。
【請求項５】
請求項１乃至４の何れか１項に記載の溶接システム（１００、３００、４００）において、
前記パラメータがアーク電圧、アーク電流、ワイヤ送給速度、またはトラクタ移動速度のうちの少なくとも１つであることを特徴とする溶接システム（１００、３００、４００）。
【請求項６】
請求項１乃至５の何れか１項に記載の溶接システム（１００、３００、４００）において、
前記溶接機器が、溶接トーチのための電源（４１０）、前記溶接作業のためのワイヤ送給装置、および／または前記溶接作業を実行するトラクタ溶接機をトラック上で前記被加工物（Ｗ）に関して操作する歯車機構を制御するモータのうちの少なくとも１つであることを特徴とする溶接システム（１００、３００、４００）。
【請求項７】
請求項１乃至６の何れか１項に記載の溶接システム（１００、３００、４００）において、
前記パラメータの前記数値を受け取る入力機器をさらに含み、前記入力機器は、好ましくは、キーパッド、ボタン、トグルスイッチ、アナログスイッチ、デジタルスイッチ、またはノブのうちの少なくとも１つであり、および／または前記入力装置は好ましくは、マイクロフォン、タッチクリーン、カメラ（１１２、１１３）またはビデオカメラのうちの少なくとも１つであることを特徴とする溶接システム（１００、３００、４００）。
【請求項８】
請求項１乃至７の何れか１項に記載の溶接システム（１００、３００、４００）において、
前記コントローラ（４３０）は、前記溶接トーチ（３０、４２０）の前記高さを、前記溶接トーチ（３０、４２０）を前記被加工物（Ｗ）に向かう方向または前記被加工物（Ｗ）から遠ざかる方向のうち少なくとも一方に移動させて調節することを特徴とする溶接システム（１００、３００、４００）。
【請求項９】
請求項１乃至８の何れか１項に記載の溶接システム（１００、３００、４００）において、
前記コントローラ（４３０）は、前記溶接トーチ（３０、４２０）の前記高さを、前記被加工物（Ｗ）を前記溶接トーチ（３０、４２０）に向かう方向または前記溶接トーチ（３０、４２０）から遠ざかる方向のうち少なくとも一方に移動させて調節することを特徴とする溶接システム（１００、３００、４００）。
【請求項１０】
請求項１乃至９の何れか１項に記載の溶接システム（１００、３００、４００）において、
前記コントローラ（４３０）はさらに、前記溶接機器が前記パラメータを前記数値に移行させている間に、前記ワイヤ送給速度またはアーク電流またはアーク電圧または前記高さを保持することを特徴とする溶接システム（１００、３００、４００）。
【請求項１１】
ミグ溶接作業を実行する溶接システム（１００、３００、４００）において、
被加工物（Ｗ）に隣接して支持される筐体（１０１）を有する円周溶接機と、
前記筐体（１０１）に接続され、電極（３２、４０６）と、前記電極（３２、４０６）と前記加工物（Ｗ）との間にアークを生成する電源（４１０）と、を含む溶接トーチ（３０、４２０）と、
溶接ワイヤ供給源に接続され、溶接ワイヤを前記電極（３２、４０６）によって形成される溶融池へと供給するワイヤ送給装置と、
パラメータの設定に関する使用者入力を受け取る手段であって、前記設定は前記アークのアーク電流を変化させるような手段と、
前記パラメータを前記設定に移行させている間に同時に、前記アークのアーク電流レベルと、前記電極（３２、４０６）および前記被加工物（Ｗ）についてのコンタクトチップから被加工物までの距離を保持する手段と、
前記設定に基づいて前記アーク電流レベルを第二のアーク電流レベルに校正する手段と、
前記設定に基づいて前記コンタクトチップから被加工物までの距離を第二のコンタクトチップから被加工物までの距離に校正する手段と、
前記パラメータの前記設定と、前記第二のアーク電流レベルと、前記第二のコンタクトチップから被加工物までの距離で、前記溶接ワイヤを前記被加工物（Ｗ）に溶着させる手段と、
少なくとも１つの移行フェーズを利用して、前記アーク電流レベルの前記第二のアーク電流レベルへの、または前記コンタクトチップから被加工物までの距離の前記第二のコンタクトチップから被加工物までの距離への変化のうちの少なくとも一方を起こさせる手段と、
を含むことを特徴とする溶接システム（１００、３００、４００）。
【請求項１２】
ミグ溶接作業の方法において、
電極と被加工物との間にアークを生成するステップと、
溶接ワイヤを電極により形成された溶融池へと供給するステップと、
パラメータの設定に関する使用者入力を受け取るステップであって、前記設定は前記アークのアーク電流を変化させるようなステップと、
前記パラメータを前記設定に移行させている間に同時に、前記アークのアーク電流レベルと、前記電極および前記被加工物についてのコンタクトチップから被加工物までの距離を保持するステップと、
前記設定に基づいて前記アーク電流レベルを第二のアーク電流レベルに校正するステップと、
前記設定に基づいて前記コンタクトチップから被加工物までの距離を第二のコンタクトチップから被加工物までの距離に校正するステップと、
前記パラメータの前記設定と、前記第二のアーク電流レベルと、前記第二のコンタクトチップから被加工物までの距離で、前記溶接ワイヤを前記被加工物に溶着させるステップと、
を含むことを特徴とする方法。
【請求項１３】
ティグ溶接作業の方法において、
電極と被加工物との間にアークを生成するステップと、
溶接ワイヤを電極により形成された溶融池へと供給するステップと、
パラメータの設定に関する使用者入力を受け取るステップであって、前記設定は前記アークのアーク電圧を変化させるようなステップと、
前記パラメータを前記設定に移行させている間に同時に、前記アークのアーク電圧レベルと、前記電極および前記被加工物についてのコンタクトチップから被加工物までの距離を保持するステップと、
前記設定に基づいて前記アーク電圧レベルを第二のアーク電圧レベルに校正するステップと、
前記設定に基づいて前記コンタクトチップから被加工物までの距離を第二のコンタクトチップから被加工物までの距離に校正するステップと、
前記パラメータの前記設定と、前記第二のアーク電圧レベルと、前記第二のコンタクトチップから被加工物までの距離で、前記溶接ワイヤを前記被加工物に溶着させるステップと、
を含むことを特徴とする方法。
【請求項１４】
サブアーク溶接作業の方法において、
電極と被加工物との間にアークを生成するステップと、
溶接ワイヤを電極により形成された溶融池へと供給するステップと、
パラメータの設定に関する使用者入力を受け取るステップであって、前記設定はワイヤ送給速度を変化させるようなステップと、
前記パラメータを前記設定に移行させている間に同時に、前記ワイヤ送給速度と、前記電極および前記被加工物についてのコンタクトチップから被加工物までの距離を保持するステップと、
前記設定に基づいて前記ワイヤ送給速度を第二のワイヤ送給速度に校正するステップと、
前記設定に基づいて前記コンタクトチップから被加工物までの距離を第二のコンタクトチップから被加工物までの距離に校正するステップと、
前記パラメータの前記設定と、前記第二のワイヤ送給速度と、前記第二のコンタクトチップから被加工物までの距離で、前記溶接ワイヤを前記被加工物に溶着させるステップと、
を含むことを特徴とする方法。
【請求項１５】
請求項１２乃至１４の何れか１項に記載の方法において、
前記アークの前記アーク電圧および／または前記アークの前記アーク電流および／または前記ワイヤ送給速度を前記コンタクトチップから被加工物までの距離により制御するステップをさらに含むことを特徴とする方法。
【請求項１６】
請求項１２乃至１５の何れか１項に記載の方法において、
前記パラメータは、アーク電流、アーク電圧、ワイヤ送給速度、またはトラクタ移動速度のうちの少なくとも１つであることを特徴とする方法。
【請求項１７】
請求項１２乃至１６の何れか１項に記載の方法において、
少なくとも１つの移行フェーズを利用して、前記ワイヤ送給速度の前記第二のワイヤ送給速度への、または前記コンタクトチップから被加工物までの距離の前記第二のコンタクトチップから被加工物までの距離への変化のうちの少なくとも一方を起こさせるか、または前記アーク電圧レベルの前記第二のアーク電圧レベルへの、または前記コンタクトチップから被加工物までの距離の前記第二のコンタクトチップから被加工物までの距離への変化のうちの少なくとも一方を起こさせるか、または前記アーク電流レベルの前記第二のアーク電流レベルへの、または前記コンタクトチップから被加工物までの距離の前記第二のコンタクトチップから被加工物までの距離への変化のうちの少なくとも一方を起こさせるステップをさらに含むことを特徴とする方法。
【請求項１８】
請求項１２乃至１７の何れか１項に記載の方法において、
前記パラメータを前記設定に移行させるステップは、溶接トーチのための電源、ワイヤ送給装置、または溶接トラクタ電源のうちの少なくとも１つに関する設定を変化させるステップを含み、および／または前記パラメータを前記設定に移行させる前記ステップは、直線的増加、直線的減少、または前記パラメータを前記設定へとある期間にわたって上昇させる所定の勾配のうちの少なくとも１つであり、および／または前記パラメータを前記設定に移行させる前記ステップは、時間に基づく移行であることを特徴とする方法。
【発明の詳細な説明】
【技術分野】
【０００１】
関連出願の相互参照
本願は、２０１３年１１月１２に出願された、“ＳＹＳＴＥＭ  ＡＮＤ  ＭＥＴＨＯＤ  ＦＯＲ  ＡＵＴＯＭＡＴＩＣ  ＨＥＩＧＨＴ  ＡＤＪＵＳＴＭＥＮＴ  ＯＦ  Ａ  ＴＯＲＣＨ”と題する米国仮特許出願第６１／９０２，８８６号明細書の優先権の利益を主張する。上記出願の全体を参照によって本願に援用する。
【０００２】
本発明は、特許請求の範囲の請求項１、２、３および１１に記載の溶接システムと、請求項１２、１３および１４に記載の溶接方法に関する。一般に、本発明は、円周溶接システムまたは非円周溶接システムに関する。より詳しくは、本発明は、アーク電流レベル、電圧、ワイヤ送給速度、またはトーチ高さのうちの少なくとも１つを、溶接作業のためのパラメータの調節に基づいて制御することに関する。
【背景技術】
【０００３】
溶接システムは、現代の産業の中核にある。大量自動組立作業から自動製造環境まで、これらのシステムにより、これまで以上に複雑な製造業務への参入が容易になる。ホットワイヤ溶接は、（例えば、電流を通じて）加熱され、主熱源（例えば、プラズマアーク、タングステン不活性ガス（ティグ）溶接、金属不活性ガス（ミグ）溶接、フラックスコア、その他）によって生成された溶融池により受けられるワイヤまたは電極を加工する。ホットワイヤ溶接工程には、そのようなワイヤを融点まで、またはその付近まで抵抗加熱することが含まれる。ホットワイヤ溶接工程において、アークの形成は、アーク状態が溶融池を崩壊させ、または過熱するため、回避される。アークを発生させずにそのワイヤの融点まで、またはその付近まで加熱されたワイヤは、ほとんどまたは全く崩壊していない溶融池により受けられる。アークの形成を防止するために、被加工物に関する溶接パラメータを検出できる。溶接パラメータは、ホットワイヤ溶接工程を調節できるアーク状態を示すことができる。
【０００４】
これに加えて、溶接には、肉盛（ｒａｉｓｉｎｇ）、肉盛（ｃｌａｄｄｉｎｇ）、肉盛（ｂｕｉｌｄｉｎｇ  ｕｐ）、フィリング、表面硬化、肉盛（ｏｖｅｒｌａｙｉｎｇ）、接合、およびその他の溶接用途が含まれていてもよい。曲面を持つ被加工物に対しては、円周溶接工程を使い、溶接ヘッドを回転させることによって曲面に溶接材を堆積させてもよい。円周溶接が使用される最も一般的な例は管の溶接である。管溶接は薄肉溶接を含んでいてもよく、この場合、溶接ヘッドが他方の面の周囲で回転されて、２つの部品端が接合され、あるいは管溶接は深開先構成を含んでいてもよく、この場合、溶接電極が接合された２つの管間に形成された開先の中へと延びて、溶接材料の連続的ビードを堆積させて開先を埋め、厚壁管が接合される。円周溶接システムは溶接ヘッドを含んでいてもよく、これはガイドトラックまたは、被加工物上に締結された、またはその他の方法で支持された固定具に取り付けられ、回転させられて溶接材を供給する。円周溶接では、先行カメラおよび／または後行カメラによって溶接領域の可視性が限定されることが多い。
【０００５】
溶接システムは、溶接作業中に使用者が調節できる多数の制御手段を含むことができる。例えば、従来の溶接システムは、最大で１６個ものボタン、入力、およびスイッチを含む場合があり、これを理解し、効率的に使用するには長年の経験が必要となる。しばしば、１つの調節を変化させると、一貫性を保つために他の調節も変化させことになりうる。
【０００６】
円周溶接システムと非円周溶接システムは、使用者が実施できる多数の調節によって不良となる可能性があり、溶接作業にとって不利な調節を防止することに関する改良された技術が求められている。
【発明の概要】
【０００７】
上記の欠点を克服するために、また溶接を改良するために、特許請求の範囲の請求項１、２、３および１１に記載の溶接システムが提供され、請求項１、１３および１４に記載の溶接方法が提供される。好ましい実施形態は、従属項の主旨である。本発明のある実施形態によれば、アーク電流またはトーチの高さのうちの少なくとも一方を制御するシステムが提供される。このシステムは、溶接作業に使用される電極を含む溶接トーチを含む。システムは、電極と被加工物との間にアークを生成させる電源と、溶接トーチの高さを溶接作業に使用されるアーク電流に基づいて調節するコントローラと、をさらに含む。システムはあるパラメータのある数値を受け取る検出コンポーネントを含み、そのパラメータのその数値が変化すると溶接作業のためのアーク電流に影響を与える。システムは校正コンポーネントを含み、これは溶接作業のための第二の電流レベルまたは溶接トーチのための第二の高さのうちの少なくとも一方を、そのパラメータのその数値に基づいて計算する。システム内のコントローラは、溶接機器を調節するためにそのパラメータをその数値へと移行させ、そのパラメータがその数値に移行されるときに、溶接トーチを第二の高さに、またはアーク電流を第二のアーク電流へと調節する。
【０００８】
本発明のある実施形態によれば、方法が提供され、これは少なくとも次のステップ、すなわち、電極と被加工物との間にアークを生成するステップと、電極により形成された溶融池へと溶接ワイヤを供給するステップと、パラメータの設定のための使用者入力を受け取るステップであって、設定がアークのアーク電流を変化させるようなステップと、パラメータを設定へと移行させている間に同時に、アークのアーク電流レベルと、電極と被加工物についてのコンタクトチップから被加工物までの距離を保持するステップと、アーク電流レベルを設定に基づいて第二のアーク電流レベルに校正するステップと、コンタクトチップから被加工物までの距離を設定に基づいて第二のコンタクトチップから被加工物までの距離に校正するステップと、パラメータに関する設定、第二のアーク電流レベル、および第二のコンタクトチップから被加工物までの距離で、溶接ワイヤを被加工物に溶着させるステップと、を含むことができる。
【０００９】
本発明のある実施形態によれば、溶接システムが提供され、これは少なくとも以下、すなわち、被加工物の付近に支持される筐体を有する円周溶接機と、筐体に連結され、電極を含む溶接トーチと、電極と被加工物との間にアークを生成する電源と、溶接ワイヤ供給元に接続されて、溶接ワイヤを電極により形成された溶融池に供給するワイヤ送給装置と、パラメータの設定に関する使用者入力を受け取る手段であって、設定がアークのアーク電流を変化させるような手段と、パラメータを設定へと移行させている間に同時に、アークのアーク電流レベルと、電極と被加工物についてのコンタクトチップから被加工物までの距離を保持する手段と、アーク電流レベルを設定に基づいて第二のアーク電流レベルに校正する手段と、コンタクトチップから被加工物までの距離を設定に基づいて第二のコンタクトチップから被加工物までの距離に校正する手段と、パラメータに関する設定、第二のアーク電流レベル、および第二のコンタクトチップから被加工物までの距離で、溶接ワイヤを被加工物に溶着させる手段と、少なくとも１つの移行フェーズを利用して、アーク電流の第二のアーク電流レベルへの変化またはコンタクトチップから被加工物までの距離の第二のコンタクトチップから被加工物までの距離への変化のうちの少なくとも一方を起こさせる手段と、を含む。
【００１０】
本発明の上記およびその他の目的は、図面、詳細な説明および付属の特許請求の範囲に照らしてみれば明らかとなるであろう。
【図面の簡単な説明】
【００１１】
本発明は、特定の部品の物理的形態および部品の配置をとることができ、その好ましい実施形態を明細書に詳しく説明し、本明細書の一部をなす下記のような添付の図面の中に示されている。
【００１２】
【図１】図１は、円周溶接システムの正面図を示す。
【図２Ａ】図２Ａは、円周溶接システムの側面図を示す。
【図２Ｂ】図２Ｂは、円周溶接システムの斜視図を示す。
【図３Ａ】図３Ａは、ホットワイヤ溶接システムの一部を例示する略図である。
【図３Ｂ】図３Ｂは、ホットワイヤ溶接システムの一部を例示する略図である。
【図４】図４は、溶接作業のためのアーク電流を自動的に調節する溶接システムを例示する略図である。
【図５】図５は、溶接作業のためのパラメータの数値の変化に基づいて溶接トーチの高さを管理するフロー図である。
【図６】図６は、受け取った使用者入力に基づいて溶接作業におけるアークのアーク電流を制御するフロー図である。
【図７】図７は、アーク電圧、ワイヤ送給速度、またはトラクタ溶接機の移動速度のうちの少なくとも１つの変化に基づいてアーク電流およびコンタクトチップから被加工物までの距離を自動的に調節しながら溶接作業を実行するフロー図である。
【発明を実施するための形態】
【００１３】
本発明の実施形態は、溶接作業のためのアーク電流、溶接作業のための電圧、溶接作業のためのワイヤ送給速度、または溶接作業を実行するトーチの高さの調節に関する方法およびシステムに関する。特に、パラメータは、例えば使用者入力に基づいて更新でき、アーク電流またはトーチの高さは、溶接作業を行うために校正できる。具体的には、パラメータが使用者入力を介して受け取った設定に調節または移行されている間に、トーチの高さおよび／またはアーク電流レベルが、そのパラメータについての設定が達成されるまで保持される。パラメータが設定の通りになったところで、第二のアーク電流レベルまたは第二のトーチの高さが実行されて、溶接作業が行われる。移行が完了するまで電流レベルと高さを保持することによって、再校正で溶接作業を所望の誤差範囲内にとどめることができ、複数のパラメータを手作業で調節する必要がない。さらに、再校正は、アーク電流を第二のアーク電流へと、および／または高さを第二の高さへと徐々に変化させる移行フェーズを利用することができる。アーク電流および／または高さの調節の例において、溶接作業はミグ溶接作業とすることができる。
【００１４】
他の実施形態において、パラメータは、例えば使用者入力に基づいて更新でき、電圧レベルまたはトーチの高さは、溶接作業を行うために校正できる。具体的には、パラメータが使用者入力を介して受け取った設定に調節または移行されている間に、トーチの高さおよび／または電圧が、そのパラメータについての設定が達成されるまで保持される。パラメータが設定の通りになったところで、第二の電圧レベルまたは第二のトーチの高さが実行されて、溶接作業が行われる。移行が完了するまで電圧レベルと高さを保持することによって、再校正で溶接作業を所望の誤差範囲内にとどめることができ、複数のパラメータを手作業で調節する必要がない。さらに、再校正は、電圧レベルを第二の電圧レベルへと、および／または高さを第二の高さへと徐々に変化させる移行フェーズを利用することができる。電圧レベルおよび／または高さの調節の例において、溶接作業はティグ溶接作業とすることができる。
【００１５】
他の実施形態において、パラメータは、例えば使用者入力に基づいて更新でき、ワイヤ送給速度またはトーチの高さは、溶接作業を行うために校正できる。具体的には、パラメータが使用者入力を介して受け取った設定に調節または移行されている間に、トーチの高さおよび／またはワイヤ送給速度が、そのパラメータについての設定が達成されるまで保持される。パラメータが設定の通りになったところで、第二のワイヤ送給速度または第二のトーチの高さが実行されて、溶接作業が行われる。移行が完了するまで電圧レベルと高さを保持することによって、再校正で溶接作業を所望の誤差範囲内にとどめることができ、複数のパラメータを手作業で調節する必要がない。さらに、再校正は、ワイヤ送給速度を第二のワイヤ送給速度へと、および／または高さを第二の高さへと徐々に変化させる移行フェーズを利用することができる。ワイヤ送給速度および／または高さの調節の例において、溶接作業はサブアーク溶接作業とすることができる。
【００１６】
「溶接（ｗｅｌｄｉｎｇ、ｗｅｌｄ）」は本明細書で使用される限り、これらの単語の他の成語要素を含め、溶融材料を電気アーク、例えば、これらに限定されないが、サブマージアーク、ＧＴＡＷ、ＧＭＡＷ、マグ、ミグ、ティグ溶接または溶接システムに使用されるあらゆる電気アークの動作を通じて溶着させることを指す。
【００１７】
ここで、本発明を実行するための最良の態様を、本特許出願の出願時点で出願人が知る最良の形態を説明することを目的として説明する。例と図面は例示に過ぎず、特許請求項の範囲と主旨によって評価される本発明を限定しようとしていない。ここで図面を参照するが、図は本発明のある例示的実施形態を示すことを目的としているにすぎず、これを限定する目的のためのものではないことを前提として、図１〜４は、自動または半自動溶接システムに使用される溶接システムを示している。溶接システムの１つの例示的な例は円周溶接であり、これは各種の材料のチューブまたは管を接合するためにしばしば使用される。例えば、タングステン不活性ガス（ティグ）またはガスタングステンアーク溶接（ＧＴＡＷ）溶接トーチが、自動機械システムによって相互に溶接されるべき管の周囲で周回するように使用されてもよい。図１〜２Ｂは、円周溶接環境内で使用されるような円周溶接システム１００（溶接機、システム、溶接システム（ｗｅｌｄｉｎｇ  ｓｙｓｔｅｍ、ｗｅｌｄｅｒ  ｓｙｓｔｅｍ）とも呼ばれる）のある例示的実施形態を示している。円周溶接システム１００は、管またはチューブの周囲で移動する溶接トラクタ（図示せず）と、溶接電源（図示せず）およびコントローラ（図示せず）と、オペレータが制御できるようにするペンダント（図示せず）と、を含む。認識すべき点として、本発明は何れの円周または非円周溶接システムに使用できる。さらに、本発明は、アークと、溶接材料を被加工物に溶着させるように液化されるホットワイヤを含むあらゆる溶接作業に使用できる。
【００１８】
システム１００（図１〜２Ｂに示されている）は一般に、深型開先溶接において使用される。図の例において、溶接システム１００は円周ティグ溶接機を含み、これは被加工物に取り付けられても、トラック上に支持されてもよい溶接機本体または筐体１０１を有する。溶接機１００は溶接トーチを含み、これは概して３０で示され、溶接領域Ｚにおいて溶接材料を溶着させ、溶接継手を形成するための溶接電極３２を有する。電極３２は、溶接されている開先Ｇに適した電極長さを有する突出し電極である。突出し電極３２は、ある深型開先溶接に敵した何れの長さを有していてもよく、例えば、１０ミリメートルを超える長さを含む。図の例に示されているように、電極長さは１００ミリメートルより長くてもよい。図の特定の例では、長さは約１２０ミリメートルである。この例は限定的ではなく、開先Ｇの深さに応じて、より長い、または短い長さの電極も使用できるからである。
【００１９】
溶接トーチ３０はシールドガス供給元１０２に接続され、これは不活性ガス、例えばアルゴンガスを溶接トーチ３０へと供給する。溶接ガス供給元１０２は、シールドガスＳを加圧して保存し、シールドガスＳを適当な配管またはその他の導管を介して供給する、シリンダ等の容器を含んでいてもよく、レギュレータまたはその他のコントローラ１０７により制御されてもよい。非加圧供給元もまた使用されてよく、ガス供給はポンプまたはその他により提供される。厚板または重い壁の管を溶接する際、溶接継手の設計は通常、狭小開先を提供して、トーチ角度をある程度調節しながら、長い電極を継手内にセットし、一連の溶接ビードを次々に積み上げて継手を充填することにより、良好な溶接部が確実に作られるようにしてもよい。この工程は、以下の説明全体を通じて、狭開先溶接または深型開先溶接と互換的呼ばれるかもしれない。狭開先溶接は、狭小開先または継手内で連続的な個別ビード溶接層が次々に積み上げられる工程である。狭開先環境で考慮すべき点の１つは、溶融溶接池を空気中の混入物から保護するのに十分なシールドガスを保持することである。一般に、アルゴン等の不活性シールドガスが溶接継手の外から供給され、長い電極がシールドガス供給元の下にある開先の中へと突き出す。
【００２０】
溶接機は、溶接ワイヤの供給元、例えばスプール１０３に接続されたワイヤ送給装置を含んでいてもよく、タングステンワイヤＷを１つまたは複数のワイヤガイド１０４’、１０４へと供給する。図の例において、１対の長いワイヤガイド１０４’、１０４が提供され、それぞれ筐体１０１の両側にある独立したスプール１０３から供給される。長いワイヤガイド１０４’、１０４はそれぞれ、第一のカメラ機器およびワイヤガイドシステム１０５（第一のマウントシステム１０５とも呼ぶ）と第二のカメラ機器およびワイヤガイドシステム１０６（第二のマウントシステム１０６とも呼ぶ）上に支持され、その各々は電極３２の横方向に外側の、被加工物または管Ｐの上方にある。認識すべき点として、長いワイヤガイド１０４’、１０４のための支持手段は、本発明の実施形態の所期の対象範囲から逸脱することなく、適正な技術的判断により選択できる。
【００２１】
円周溶接システムは、ワイヤガイド１０４’、１０４を含むことができ、自動または半自動移動を提供する位置決め装置を含むことができ、この移動は溶接領域Ｚ内に形成されたアークの付近の３次元環境内のあらゆる方向へのものとすることができる。例えば、ワイヤガイド１０４’、１０４は、内側および下側に、電極３２と溶接領域Ｚに向かって延びることができる。例示的な溶接機は、トラック上に支持され、トラクタドライブによって管（被加工物Ｗとも呼ぶ）の周囲で駆動され、ワイヤガイド１０４’、１０４は溶接電極３２に関して先導位置と追従位置にある。ある実施形態において、第一のマウントシステム１０５は高さ調節装置１３０に連結され、これによって、第一のマウントシステム１０５を溶接領域Ｚに向かって、または溶接領域Ｚから遠ざかるように調節できる。認識すべき点として、溶接領域Ｚに向かう、または溶接領域Ｚから遠ざかる調節は、自動または半自動とすることができる。さらに、調節は、溶接領域Ｚの片側に、または溶接領域Ｚの反対側に行うことができる（例えば、左方移動、右方移動、その他）。高さ調節装置１３０はさらに、溶接システム１００の筐体１０１の一部に連結される支持部材１３２に連結される。同様に、第二のマウントシステム１０６は高さ調節装置１２４に連結され、これによって、第二のマウントシステム１０６を溶接領域Ｚに向かって、または溶接領域Ｚから遠ざかるように調節できる。認識すべき点として、溶接領域Ｚに向かう、または溶接領域Ｚから遠ざかる調節は、自動または半自動とすることができる。さらに、調節は、溶接領域Ｚの片側に、または溶接領域Ｚの反対側に行うことができる（例えば、左方移動、右方移動、その他）。高さ調節装置１２４はさらに、溶接システム１００の筐体１０１の一部に連結される支持部材１２６に連結される。
【００２２】
第一のマウントシステム１０５は、カメラ機器１１３とワイヤガイド１０４’を支持し、カメラ機器１１３とワイヤガイド１０４’はどちらも、溶接領域Ｚを目指して、すなわちそれに向かって位置付けられる。同様に、第二のマウントシステム１０６はカメラ機器１１２とワイヤガイド１０４を支持し、カメラ機器１１２とワイヤガイド１０４はどちらも、溶接領域Ｚを目指して、すなわちそれに向かって位置付けられる。認識すべき点として、システム１００はカメラ機器１１２とカメラ機器１１３を含んでいるが、このような機器は単に各種の実施形態を例示するためのものにすぎず、本発明を限定するものとはみなされない。認識すべき点として、カメラ機器１１３とワイヤガイド１０４’は溶接システム１００と一緒に（または独立して）移動し、これによって溶接ワイヤを溶接領域Ｚにおいて、および／またはワイヤがワイヤガイド１０４’から送給される箇所で一貫して供給できる。認識すべき点として、カメラ機器１１２とワイヤガイド１０４は溶接システム１００と一緒に（または独立して）移動でき、これによって溶接ワイヤを溶接領域Ｚにおいて、および／またはワイヤガイド１０４’から、および最終的にワイヤ送給装置（ワイヤ供給元またはスプール１０３）から送給される箇所で一貫して供給できる。
【００２３】
図３Ａおよび３Ｂは、本発明によるホットワイヤ溶接システム３００とホットワイヤ溶接システム３０２の略図を示す。例えば、ホットワイヤ溶接システム３００はティグ溶接システムとすることができ、ホットワイヤ溶接システム３０２はミグ溶接システムとすることができる。上述のように、認識し、理解すべき点として、あらゆる適当なホットワイヤ溶接システムを本発明で実装でき、図１〜３Ｂのようなシステムは本発明の特許請求の範囲を限定するものではない。システム３００は第一の電源３１０を含み、これは電極（例えば、非消耗型電極）と被加工物Ｗとの間にアークを形成するための第一の熱源を提供し、溶融池がこの電極によって生成される。システム３００は、電極による形成された溶融池に送給された溶接ワイヤを加熱するホットワイヤ電源３２０（例えば、溶接ワイヤ電源）をさらに含む。換言すれば、ホットワイヤ電源３２０は、溶融池の中に送給または供給された溶接ワイヤに、被加工物Ｗに溶接材料（例えば、液化された溶融ワイヤ）を溶着させるためのエネルギーを付与することができる。
【００２４】
システム３０２は第一の電源３１０を含み、これは電極（例えば、非消耗型電極）と被加工物Ｗとの間にアークを形成するための第一の熱源を提供し、溶融池がこの電極によって生成される。システム３０２は、電極による形成された溶融池に送給された溶接ワイヤを加熱するホットワイヤ電源３２０（例えば、溶接ワイヤ電源）をさらに含む。換言すれば、ホットワイヤ電源３２０は、溶融池の中に送給または供給された溶接ワイヤに、被加工物Ｗに溶接材料（例えば、液化された溶融ワイヤ）を溶着させるためのエネルギーを付与することができる。認識すべき点として、溶接システム１００、３００、および３０２は、本発明の実施形態の所期の対象範囲から逸脱することなく、適正な技術的判断により選択できる。
【００２５】
認識すべき点として、システム３００および３０２は、ホットワイヤティグ溶接システムまたはホットワイヤタンデム溶接システムとすることができる。本発明は何れの適当なワイヤプロセスにより形成されるアークに関するものとすることができ、このようなワイヤ工程は非消耗型電極工程を含むことができる。
【００２６】
図４は、トーチ４２０の高さまたは、トーチ４２０で実行される溶接作業のためのアーク電流レベルのうちの少なくとも一方を調節する溶接システム４００を示している。システム４００はワイヤガイドを含み、これは溶接ワイヤを、電極４０６と被加工物Ｗとの間に生成されるアークを含む溶接領域へと方向付ける。システム４００内のトーチ４２０は電極４０６を含み、電源４１０は、電極４０６と被加工物Ｗとの間にアークを生成する。トーチ４２０は高さ４０８を有し、これは、電極４０６と被加工物Ｗとの間の距離であり、高さ４０８は、コンタクトチップから被加工物までの距離、トーチヘッド空間、ワイヤ突出し長、およその他と呼ぶことができる。特に、高さ４０８は、少なくともトーチ４２０の被加工物Ｗに関する位置を変化させること、被加工物Ｗのトーチ４２０に関する位置を変化させること、またはそれらの組み合わせによって調節できる。
【００２７】
システム４００はコントローラ４３０を含むことができ、これは被加工物Ｗに対して実行される溶接作業に関する少なくとも１つのパラメータを制御するように構成される。溶接パラメータを１つの数値から他の数値へと変化させることに基づいて、コントローラ４３０は、トーチ４２０の高さ４０８、または溶接作業のためのアーク電流レベルのうちの少なくとも一方を管理できる。認識すべき点として、溶接作業のためのアーク電流レベルは、トーチ４２０の高さ４０８を変化させることを通じて調節できる。例えば、高さ４０８を増大させる（例えば、トーチ４２０を被加工物Ｗから遠ざけるように移動させる）と、アーク電流レベルを下げることができ、高さ４０８を低くする（例えば、トーチ４２０を被加工物Ｗに向かって移動させる）と、アーク電流レベルを増大させることができる。上述のように、この移動は、トーチ４２０を移動させること、被加工物Ｗを移動させること、またはそれらの組み合わせによって提供できる。
【００２８】
他の実施形態において、溶接パラメータを１つの数値から他の数値に変化させることに基づいて、コントローラ４３０は、トーチ４２０の高さ４０８または溶接作業のための電圧レベルのうちの少なくとも一方を管理できる。認識すべき点として、溶接作業のための電圧レベルは、トーチ４２０の高さ４０８を変化させることによって調節できる。例えば、高さ４０８を増大させる（例えば、トーチ４２０を被加工物Ｗから遠ざかるように移動させる）と、電圧レベルを増大でき、高さ４０８を低くする（例えば、トーチ４２０を被加工物Ｗに向かって移動させる）と、電圧レベルを下げることができる。前述のように、この移動は、トーチ４２０を移動させること、被加工物Ｗを移動させること、またはそれらの組み合わせによって提供できる。
【００２９】
他の実施形態において、溶接パラメータを１つの数値から他の数値に変化させることに基づいて、コントローラ４３０は、トーチ４２０の高さ４０８または溶接作業のためのワイヤ送給速度のうちの少なくとも一方を管理できる。認識すべき点として、溶接作業のためのワイヤ送給速度は、トーチ４２０の高さ４０８を変化させることによる溶接パラメータの変化を補償するために調節できる。例えば、高さ４０８を増大させる（例えば、トーチ４２０を被加工物Ｗから遠ざかるように移動させる）と、電圧レベルを増大でき、高さ４０８を低くする（例えば、トーチ４２０を被加工物Ｗに向かって移動させる）と、ワイヤ送給速度の増大に関する溶接パラメータの変化を補償できる。前述のように、この移動は、トーチ４２０を移動させること、被加工物Ｗを移動させること、またはそれらの組み合わせによって提供できる。一般に、ワイヤ送給速度に影響を与える溶接パラメータの変化は、ワイヤ送給速度および／またはトーチ４２０の高さ４０８の変化のうちの少なくとも一方の変化により補償できる。
【００３０】
溶接作業中に溶接パラメータを１つの数値から他の数値に変化させることに基づいて、コントローラ４３０は、高さ４０８および／または、溶接作業を実行するためのアーク電流レベル、電圧レベル、またはワイヤ送給速度のうちの少なくとも１つを管理する。ある例において、溶接パラメータの変化は、使用者入力、電気信号、遠隔信号、その他に基づくことができる。例えば、使用者は例えば、ただしこれらに限定されないが、ペンダント（例えば、溶接システムと通信する機器）、リモコン、キーパッド、スマートフォン、トグルスイッチ、アナログスイッチ、デジタルスイッチ、ノブ、ラップトップ、マイクロフォン、カメラ、ビデオカメラ、タッチスクリーン、有線機器、無線機器、その他当の機器を介して入力を提供できる。他の実施形態において、使用者は音声コマンド、ハンドジェスチャ、データアップロード、データ伝送、ＵＳＢポートを介したデータ伝送、リムーバブルハードドライブからのデータ伝送、ネットワークからのデータ伝送、その他を介して入力を提供できる。
【００３１】
システム４００は、溶接パラメータの変化に基づいて、高さ４０８および／または溶接作業のためのアーク電流レベル、電圧レベル、またはワイヤ送給速度のうちの少なくとも１つを自動的に調節し、この溶接パラメータはアーク電流レベル、電圧レベル、またはワイヤ送給速度のうちの少なくとも１つに影響を与える。換言すれば、溶接作業のパラメータが１つの数値から他の数値に変化させられ（例えば、増大または減少され）、その変化の直接的な結果として、アーク電流レベル、電圧、またはワイヤ送給速度のうちの少なくとも１つが変化する場合、システム４００は、使用者の介入または動作を必要とせずに、高さ４０８、アーク電流レベル、電圧、および／またはワイヤ送給速度のうちの少なくとも１つを調節する。一般に、溶接パラメータは、溶接作業のためのアーク電流レベル、溶接作業のための電圧、または溶接作業のためのワイヤ送給速度のうちの少なくとも１つに影響を与える溶接パラメータとすることができるが、これらに限定されない。しかしながら、認識すべき点として、溶接パラメータは、アーク電圧、溶接作業を実行するトラクタ溶接機の移動速度、ワイヤ送給速度の、アーク電流レベル、トーチ４２０の高さ、被加工物Ｗとトーチ４２０との間の距離、電極４０６の振幅、溶接ワイヤの温度、電極の温度、被加工物Ｗの材料の種類、電極４０６の振動周波数、アーク電流の極性、溶接ワイヤのための電流の極性、溶接作業のアーク電流に影響を与えるパラメータ、その他とすることができるが、これらに限定されない。
【００３２】
コントローラ４３０は、パラメータを確立済みの数値から他の数値に変化させる使用者入力を検出するように構成された検出コンポーネント４４０を含むことができ、そのパラメータの変化は、アーク電流、アーク電圧、またはワイヤ送給速度のうちの少なくとも１つの確立済みの数値に影響を与える。例えば、検出コンポーネント４４０は、使用者入力を受け取り、その使用者入力が、溶接作業のための確立済みのアーク電流レベルの数値を変化させるようなパラメータの数値を変化させるか否かを確認することができる。他の例では、検出コンポーネント４４０は、使用者入力を受け取り、その使用者入力が、溶接作業のための確立済みのアーク電圧レベルの数値を変化させるようなパラメータの数値を変化させるか否かを確認することができる。他の例では、検出コンポーネント４４０は、使用者入力を受け取り、その使用者入力が、溶接作業のための確立済みのワイヤ送給速度の数値を変化させるようなパラメータの数値を変化させるか否かを確認することができる。
【００３３】
コントローラ４３０は調節コンポーネント４５０をさらに含むことができる。調節コンポーネント４５０は、高さ４０８の変化を介してアーク電流レベルの調節を提供する。認識すべき点として、アーク電流レベルまたは高さ４０８の確立済みの数値の変化は、直接実行できる。例えば、確立済みのアーク電流レベルを変化させる使用者入力によって、調節コンポーネント４５０は高さ４０８を調整してこの変化を実行できる。他の例において、調節コンポーネント４５０は、高さ４０８を変化させる使用者入力に基づいて、トーチ４５０または被加工物Ｗを移動させることができる。
【００３４】
調節コンポーネント４５０はさらに、パラメータに対する変化が実行されている間に、溶接作業のための確立済みのアーク電流レベルを保持するように構成される。例えば、使用者入力があるパラメータを１つの数値から他の数値に変化させ、その変化が、検出コンポーネント４４０によって、確立済みのアーク電流を変化させるものと識別された場合、調節コンポーネント４５０はそのパラメータを他の数値に変化させる前に確立済みのアーク電流を保持する。特に、調節コンポーネント４５０は、確立済みのアーク電流を保持しながら、パラメータを確立済みの数値から他の数値（使用者入力により決定される）に移行させる。
【００３５】
コントローラ４３０は校正コンポーネント４６０をさらに含むことができ、これは、溶接作業のためのアーク電流レベルをパラメータの変化に基づいて校正するように構成される。パラメータを確立済みの数値から第二の数値に変化させることは、確立済みのアーク電流レベルに影響を与える。それゆえ、調節コンポーネント４５０は、パラメータを確立済みの数値から第二の数値に移行させている間に、確立済みのアーク電流レベルをイ保持する。さらに、校正コンポーネント４６０は、パラメータの第二の数値に基づいて、第二のアーク電流レベル、次にトーチ４２０の第二の高さ４０８を計算する。パラメータの確立済みの数値からパラメータの第二の数値への移行が完了したところで、校正コンポーネント４６０は、第二のアーク電流レベルおよび／またはトーチ４２０の第二の高さ４０８を実行する。認識すべき点として、システム４００は、第二のアーク電流レベルおよび／またはトーチ４２０の第二の高さ４０８で移行フェーズを利用して、アーク電流の確立済みの数値または高さの確立済みの数値から徐々に変化させることができる。
【００３６】
ある実施形態において、調節コンポーネント４５０は、高さ４０８の変化を介してアーク電圧レベルを調節する。認識すべき点として、アーク電圧レベルまたは高さ４０８の確立済みの数値の変化は、直接実行できる。例えば、確立済みのアーク電圧レベルを変化させる使用者入力によって、調節コンポーネント４５０は高さ４０８を調整してこの変化を実行できる。他の例において、調節コンポーネント４５０は、高さ４０８を変化させる使用者入力に基づいて、トーチ４２０または被加工物Ｗを移動させることができる。
【００３７】
調節コンポーネント４５０はさらに、パラメータに対する変化が実行されている間に、溶接作業のための確立済みのアーク電圧レベルを保持するように構成される。例えば、使用者入力があるパラメータを１つの数値から他の数値に変化させ、その変化が、検出コンポーネント４４０によって、確立済みのアーク電圧を変化させるものと識別された場合、調節コンポーネント４５０はそのパラメータを他の数値に変化させる前に確立済みのアーク電圧を保持する。特に、調節コンポーネント４５０は、確立済みのアーク電圧を保持しながら、パラメータを確立済みの数値から他の数値（使用者入力により決定される）に移行させる。
【００３８】
校正コンポーネント４６０はさらに、溶接作業のための確立済みのアーク電圧レベルを、パラメータの変化に基づいて校正するように構成できる。パラメータを確立済みの数値から第二の数値に変化させることは、確立済みのアーク電圧レベルに影響を与える。それゆえ、調節コンポーネント４５０は、パラメータを確立済みの数値から第二の数値へと移行させている間に、確立済みのアーク電圧レベルを保持する。さらに、校正コンポーネント４６０は、パラメータの第二の数値に基づいて、第二のアーク電圧レベル、次にトーチ４２０の第二の高さ４０８を計算する。パラメータの確立済みの数値からパラメータの第二の数値への移行が完了したところで、校正コンポーネント４６０は、第二のアーク電圧レベルおよび／またはトーチ４２０の第二の高さ４０８を実行する。認識すべき点として、システム４００は、第二のアーク電圧レベルおよび／またはトーチ４２０の第二の高さ４０８で移行フェーズを利用して、アーク電圧の確立済みの数値または高さの確立済みの数値から徐々に変化させることができる。
【００３９】
ある実施形態において、調節コンポーネント４５０は、ワイヤ送給速度に影響を与える溶接パラメータの変化を補償するために、高さ４０８の調節を提供する。認識すべき点として、ワイヤ送給速度または高さ４０８の確立済みの数値の変化は、直接実行できる。例えば、確立済みのワイヤ送給速度を変化させる使用者入力によって、調節コンポーネント４５０は高さ４０８を調整してこの変化を補償する。他の例において、調節コンポーネント４５０は、高さ４０８を変化させる使用者入力に基づいて、トーチ４５０または被加工物Ｗを移動させることができる。
【００４０】
調節コンポーネント４５０はさらに、パラメータに対する変化が実行されている間に、溶接作業のための確立済みのワイヤ送給速度を保持するように構成される。例えば、使用者入力があるパラメータを１つの数値から他の数値に変化させ、その変化が、検出コンポーネント４４０によって、ワイヤ送給速度に影響を与える（例えば、増大させる、減少させる、その他）ものと識別された場合、調節コンポーネント４５０はそのパラメータを他の数値に変化させる前に確立済みのワイヤ送給速度を保持する。特に、調節コンポーネント４５０は、ワイヤ送給速度を保持しながら、パラメータを確立済みの数値から他の数値（使用者入力により決定される）に移行させる。
【００４１】
校正コンポーネント４６０はさらに、溶接作業のためのワイヤ送給速度を、パラメータの変化に基づいて校正するように構成できる。パラメータを確立済みの数値から第二の数値に変化させることは、確立済みのワイヤ送給速度に影響を与える。それゆえ、調節コンポーネント４５０は、パラメータを確立済みの数値から第二の数値へと移行させている間に、確立済みのワイヤ送給速度を保持する。さらに、校正コンポーネント４６０は、パラメータの第二の数値に基づいて、第二のワイヤ送給速度、次にトーチ４２０の第二の高さ４０８を計算し、第二の高さ４０８は、確立済みのワイヤ送給速度の影響を補償できる。パラメータの確立済みの数値からパラメータの第二の数値への移行が完了したところで、校正コンポーネント４６０は、第二のワイヤ送給速度および／またはトーチ４２０の第二の高さ４０８を実行する。認識すべき点として、システム４００は、第二のワイヤ送給速度および／またはトーチ４２０の第二の高さ４０８で移行フェーズを利用して、ワイヤ送給速度の確立済みの数値または高さの確立済みの数値から徐々に変化させることができる。
【００４２】
例えば、調節コンポーネント４５０がパラメータを確立済みの数値から第二の数値へと変化させるために利用する移行は、直線的な増加、直線的な減少、勾配、パラメータごとの勾配、所定の勾配、指数関数的減衰、指数関数的増大、段階的増加（例えば、５単位ずつ増加、５単位ずつ減少、その他）、時間に基づく移行（例えば、ある期間中に確立済みのパラメータから第二のパラメータに変化）、ダイナミックに決定される勾配、その他とすることができる。例えば、１つの数値から別の数値にパラメータを変化させるための勾配を特定するために使用される期間を決定できる。例えば、５秒の期間を決定でき、その場合、１アーク電圧から６アーク電圧への変化は１秒間に１ボルトの変化に変換できる。認識すべき点として、移行は、本発明の範囲から逸脱することなく、適正な技術的判断により選択できる。さらに、移行は各パラメータについて特定のものとすることができる。例えば、これらに限定されないが、第一の移行をアーク電圧に使用でき、第二の移行をワイヤ送給速度に使用でき、第三の移行をトラクタ移動速度に使用できる。
【００４３】
例えば、調節コンポーネント４５０が、１）確立済みのアーク電流から第二のアーク電流に、および／または２）トーチの確立済みの高さからトーチ４２０の第二の高さに変化させるために使用する移行フェーズは、直線的な増加、直線的な減少、勾配、パラメータごとの勾配、所定の勾配、指数関数的減衰、指数関数的増大、段階的増加（例えば、５単位ずつ増加、５単位ずつ減少、その他）、時間に基づく移行（例えば、ある期間中に確立済みのパラメータから第二のパラメータに変化）、ダイナミックに決定される勾配、その他とすることができる。
【００４４】
例えば、調節コンポーネントが、１）確立済みのアーク電圧から第二のアーク電圧に、および／または２）トーチの確立済みの高さからトーチ４２０の第二の高さに変化させるために使用する移行フェーズは、直線的な増加、直線的な減少、勾配、パラメータごとの勾配、所定の勾配、指数関数的減衰、指数関数的増大、段階的増加（例えば、５単位ずつ増加、５単位ずつ減少、その他）、時間に基づく移行（例えば、ある期間中に確立済みのパラメータから第二のパラメータに変化）、ダイナミックに決定される勾配、その他とすることができる。
【００４５】
例えば、調節コンポーネントが、１）確立済みのワイヤ送給速度から第二のワイヤ送給速度に、および／または２）トーチの確立済みの高さからトーチ４２０の第二の高さに変化させるために使用する移行フェーズは、直線的な増加、直線的な減少、勾配、パラメータごとの勾配、所定の勾配、指数関数的減衰、指数関数的増大、段階的増加（例えば、５単位ずつ増加、５単位ずつ減少、その他）、時間に基づく移行（例えば、ある期間中に確立済みのパラメータから第二のパラメータに変化）、ダイナミックに決定される勾配、その他とすることができる。
【００４６】
ある実施形態において、パラメータはアーク電圧、ワイヤ送給速度、または溶接作業を実行するトラクタ溶接機の移動速度とすることができ、システム４００はトーチ４２０の高さ４０８または溶接作業のアーク電流レベルのうちの少なくとも一方を、確立済みのされたパラメータから第二のパラメータへと変化させるようにとの使用者の要求に基づいて自動的に調節する。認識すべき点として、使用者の要求（使用者入力ともいう）は、パラメータの数値を変化させることとすることができ、この変化は、数値の増大または減少とすることができる。例えば、使用者入力は、アーク電圧、ワイヤ送給速度、移動速度、トーチ４２０の高さ４０８、またはアーク電流のうちの少なくとも１つの数値を変化させる入力装置（例えば、リモコン、ペンダント、タブレット、ボタン、キーパッド、タッチスクリーン、その他）とすることができる。
【００４７】
例えば、使用者入力がアーク電流レベルを変化させる場合、システム４００は、トーチ４２０の高さ４０８を調節する。他の例では、使用者入力がトーチ４２０の高さ４０８を変化させる場合、システム４００は高さ４０８と、次にアーク電流を調節する。また別の例では、使用者入力がアーク電圧の第二のアーク電圧への、ワイヤ送給速度の第二のワイヤ送給速度への、または移動速度の第二の移動速度への変化のうちの１つを起こさせる場合、コントローラ４３０は、確立済みのアーク電流および／または確立済みの高さ４０８を保持しながら、第二の数値（例えば、第二のアーク電圧、第二のワイヤ送給速度、第二の移動送給速度のうちの少なくとも１つ）のための移行フェーズを提供する。移行が完了したら、コントローラ４３０は、第二のアーク電流および／または第二の高さ４０８を第二のアーク電圧、第二のワイヤ送給速度、または第二の移動送給速度のうちの１つに基づいて計算し、採用する。
【００４８】
例えば、使用者入力がアーク電圧レベルを変化させる場合、システム４００は、トーチ４２０の高さ４０８を調節する。他の例では、使用者入力がトーチ４２０の高さ４０８を変化させる場合、システム４００は高さ４０８と、次にアーク電圧を調節する。また別の例では、使用者入力が確立済みの溶接パラメータを第一の数値から第二の数値に変化させる場合、コントローラ４３０は、確立済みのアーク電圧および／または確立済みの高さ４０８を保持しながら、第一の数値から第二の数値への変化を提供する移行フェーズを提供する。移行が完了したら、コントローラ４３０は、第二のアーク電圧および／または第二の高さ４０８を確立済みの溶接パラメータの第二の数値に基づいて計算し、採用する。さらにまた別の例において、使用者入力がアーク電流の第二のアーク電流への、ワイヤ送給速度の第二のワイヤ送給速度への、または移動速度の第二の移動速度への変化のうちの１つを起こさせる場合、コントローラ４３０は、確立済みのアーク電圧および／または確立済みの高さ４０８を保持しながら、第二の数値（例えば、第二のアーク電流、第二のワイヤ送給速度、第二の移動送給速度のうちの少なくとも１つ）に関する移行フェーズを提供する。移行が完了したら、コントローラ４３０は、第二のアーク電圧および／または第二の高さ４０８を第二のアーク電流、第二のワイヤ送給速度、または第二の移動送給速度のうちの１つに基づいて計算し、採用する。
【００４９】
例えば、使用者入力がワイヤ送給速度を変化させる場合、システム４００は、トーチ４２０の高さ４０８を調節する。他の例では、使用者入力がトーチ４２０の高さ４０８を変化させる場合、システム４００は高さ４０８を調節し、次にワイヤ送給速度に影響を与える。また別の例では、使用者入力が確立済みの溶接パラメータを第一の数値から第二の数値に変化させる場合、コントローラ４３０は、確立済みのワイヤ送給速度および／または確立済みの高さ４０８を保持しながら、第一の数値から第二の数値への変化を提供する移行フェーズを提供する。移行が完了したら、コントローラ４３０は、第二のワイヤ送給速度および／または第二の高さ４０８を確立済みの溶接パラメータの第二の数値に基づいて計算し、採用する。さらにまた別の例において、使用者入力がアーク電圧の第二のアーク電圧への、アーク電流の第二のアーク電流への、または移動速度の第二の移動速度への変化のうちの１つを起こさせる場合、コントローラ４３０は、確立済みのワイヤ送給速度および／または確立済みの高さ４０８を保持しながら、第二の数値（例えば、第二のアーク電圧、第二のアーク電流、第二の移動送給速度のうちの少なくとも１つ）に関する移行フェーズを提供する。移行が完了したら、コントローラ４３０は、第二のワイヤ送給速度および／または第二の高さ４０８を第二のアーク電圧、第二のアーク電流、または第二の移動送給速度のうちの１つに基づいて計算し、採用する。
【００５０】
認識し、理解すべき点として、システム４００は様々な構成と実施形態を含むことができ、システム４００の構成は本発明を限定するものではない。コントローラ４３０は、独立型コンポーネント（図のとおり）であっても、電源４１０に組み込まれても、トーチ４２０に組み込まれても、検出コンポーネント４４０に組み込まれても、調節コンポーネント４５０に組み込まれても、校正コンポーネント４６０に組み込まれても、またはこれらの何れの適当な組み合わせとされてもよい。検出コンポーネント４４０は、独立型のコンポーネントであっても、電源４１０に組み込まれても、トーチ４２０に組み込まれても、コントローラ４３０に組み込まれても（図のとおり）、調節コンポーネント４５０に組み込まれても、またはこれらの何れの適当な組み合わせとされてもよい。調節コンポーネント４５０は、独立型のコンポーネントであっても、電源４１０に組み込まれても、トーチ４２０に組み込まれても、コントローラ４３０に組み込まれても（図のとおり）、検出コンポーネント４４０に組み込まれても、校正コンポーネント４６０に組み込まれても、またはこれらの何れの適当な組み合わせとされてもよい。校正コンポーネント４５０は、独立型のコンポーネントであっても、電源４１０に組み込まれても、トーチ４２０に組み込まれても、コントローラ４３０に組み込まれても（図のとおり）、調節コンポーネント４５０に組み込まれても、検出コンポーネント４４０に組み込まれても、またはこれらの何れの適当な組み合わせとされてもよい。
【００５１】
ある実施形態において、コントローラは、溶接トーチを第二の高さに、またはアーク電流を第二のアーク電流に、ある移行フェーズで移行させる。ある実施形態において、パラメータは、アーク電圧、ワイヤ送給速度、またはトラクタ移動速度のうちの少なくとも１つである。
【００５２】
ある実施形態において、溶接機器は溶接トーチのための電源である。ある実施形態において、溶接機器は溶接作業のためのワイヤ送給装置である。ある実施形態において、溶接機器は、溶接作業を行うトラクタ溶接機をトラック上で被加工物に関して操作する歯車機構を制御するモータである。
【００５３】
ある実施形態において、システムは、パラメータの数値を受け取る入力機器をさらに含むことができる。ある実施形態において、入力機器は、キーパッド、ボタン、トグルスイッチ、アナログスイッチ、デジタルスイッチ、またはノブのうちの少なくとも１つである。ある実施形態において、入力機器は、マイクロフォン、タッチスクリーン、カメラ、またはビデオカメラのうちの少なくとも１つである。
【００５４】
ある実施形態において、コントローラは、溶接トーチの高さを、溶接トーチを被加工物に向かう方向または被加工物から遠ざかる方向のうちの少なくとも一方に移動させることによって調節する。ある実施形態において、コントローラは溶接トーチの高さを、被加工物を溶接トーチに向かう方向または溶接トーチから遠ざかる方向のうちの少なくとも一方に移動させて調節する。ある実施形態において、コントローラはさらに、溶接機器がパラメータをその数値に移行させている間に、アーク電流または高さを保持する。
【００５５】
上述の例示的機器と要素を鑑み、開示されている本発明に従って実施されうる方法は、図５〜７のフロー図および／または方法を参照すると、より理解されるであろう。方法および／またはフロー図は一連のブロックとして図視され、説明されており、特許請求されている主旨はブロックの順序によって限定されず、それは、いくかのブロックを本明細書で図示され、説明されているものとは異なる順序で、および／または他のブロックと同時に行われてもよいからである。さらに、以下に説明されている方法および／またはフロー図を実施するために、図示されているすべてのブロックが必要であるとはかぎらない。
【００５６】
図５は、溶接作業のためのアーク電流を、使用者入力からのパラメータの変化に基づいて自動的に調節する方法５００を示している。連続的に、以下の事柄が、溶接作業を実行するためのフロー図５００である図５の決定木フロー図５００の中に示されているように実行される。例えば、溶接作業は少なくとも以下、すなわち、電極と被加工物との間にアークを生成するステップと、溶接ワイヤを電極により形成された溶接池へと供給するステップと、溶接ワイヤを被加工物に溶着させるステップと、を含むことができる。
【００５７】
コンタクトチップから被加工物までの距離に関する使用者入力を受け取ることができる（参照ブロック５１０）。被加工物への溶接作業のためのアーク電流レベルを、コンタクトチップから被加工物までの距離に基づいて調節できる（参照ブロック５２０）。アーク電圧、ワイヤ送給速度、またはトラクタ溶接機の移動速度のうちの少なくとも１つの設定に関する第二の使用者入力を受け取ることができる（参照ブロック５３０）。第二の使用者入力を受け取っている間に、溶接作業のためのアーク電流レベルを保持することができる（参照ブロック５４０）。アーク電圧、ワイヤ送給速度、または移動速度のうちの少なくとも１つを設定値に移行させることができる（参照ブロック５５０）。アーク電流レベルを設定値に基づいて第二のアーク電流レベルに校正できる（参照番号５６０）。コンタクトチップから被加工物までの距離を第二のアーク電流レベルに基づいて調節できる（参照番号５７０）。ある実施形態において、アーク電流レベルの第二のアーク電流レベルへの校正は、移行フェーズで利用できる（上述のとおり）。例えば、溶接作業はミグ溶接作業とすることができる。
【００５８】
他の実施形態において、方法はアーク電圧の調節に関するものとすることができる。コンタクトチップから被加工物までの距離に関する使用者入力を受け取ることができる。被加工物への溶接作業のためのアーク電圧レベルを、コンタクトチップから被加工物までの距離に基づいて調節できる。アーク電流、ワイヤ送給速度、またはトラクタ溶接機の移動速度のうちの少なくとも１つの設定に関する第二の使用者入力を受け取ることができる。第二の使用者入力を受け取っている間に、溶接作業のためのアーク電圧レベルを保持することができる。アーク電流、ワイヤ送給速度、または移動速度のうちの少なくとも１つを設定に移行させることができる。アーク電圧レベルを設定に基づいて第二のアーク電圧レベルに校正できる。コンタクトチップから被加工物までの距離を第二のアーク電圧レベルに基づいて調節できる。ある実施形態において、アーク電圧レベルの第二のアーク電圧レベルへの校正は、移行フェーズで利用できる（上述のとおり）。例えば、溶接作業はティグ溶接作業とすることができる。
【００５９】
他の実施形態において、方法はワイヤ送給速度の調節に関するものとすることができる。コンタクトチップから被加工物までの距離に関する使用者入力を受け取ることができる。被加工物への溶接作業のためのワイヤ送給速度を、コンタクトチップから被加工物までの距離に基づいて調節できる。アーク電流、アーク電圧、またはトラクタ溶接機の移動速度のうちの少なくとも１つの設定に関する第二の使用者入力を受け取ることができる。第二の使用者入力を受け取っている間に、溶接作業のためのワイヤ送給速度を保持することができる。アーク電流、アーク電圧、または移動速度のうちの少なくとも１つを設定値に移行させることができる。ワイヤ送給速度を設定値に基づいて第二のワイヤ送給速度に校正できる。コンタクトチップから被加工物までの距離を第二のワイヤ送給速度に基づいて調節できる。ある実施形態において、ワイヤ送給速度の第二のワイヤ送給速度への校正は、移行フェーズで利用できる（上述のとおり）。例えば、溶接作業はサブアーク溶接作業とすることができる。
【００６０】
図６は、溶接作業で使用される溶接トーチの高さを使用者入力からのパラメータの変更に基づいて自動的に調節する方法６００を示している。例えば、方法６００は溶接作業に関するものとすることができ、これは、電極と被加工物との間にアークを生成するステップと、電極により形成された溶融池に溶接ワイヤを供給するステップと、溶接ワイヤを被加工物に溶着させるステップを含むことができる。溶接作業のためのアーク電流レベルに関する使用者入力設定を受け取ることができる（参照ブロック６１０）。溶接作業のためのコンタクトチップから被加工物までの距離をアーク電流レベルに基づいて調節できる（参照ブロック６２０）。アーク電圧、ワイヤ送給速度、またはトラクタ溶接機の移動速度のうちの少なくとも１つの設定に関する第二の使用者入力を受け取ることができる（参照ブロック６３０）。溶接作業のためのコンタクトチップから被加工物までの距離を保持できる（参照ブロック６４０）。アーク電圧、ワイヤ送給速度、または移動速度のうちの少なくとも１つを設定に移行させることができる（参照ブロック６５０）。コンタクトチップから被加工物までの距離を設定に基づいて第二のコンタクトチップから被加工物までの距離に校正できる（参照ブロック６６０）。アーク電流レベルを第二のコンタクトチップから被加工物までの距離に基づいて調節できる（参照ブロック６７０）。ある実施形態において、コンタクトチップから被加工物までの距離を第二のコンタクトチップから被加工物までの距離に変更する際に移行フェーズを利用できる（上述のとおり）。例えば、溶接作業はミグ溶接作業とすることができる。
【００６１】
他の実施形態において、方法はアーク電圧の調節に関するものとすることができる。溶接作業のためのアーク電圧レベルに関する使用者入力設定を受け取ることができる。溶接作業のためのコンタクトチップから被加工物までの距離をアーク電圧レベルに基づいて調節できる。アーク電流、ワイヤ送給速度、またはトラクタ溶接機の移動速度のうちの少なくとも１つの設定に関する第二の使用者入力を受け取ることができる。溶接作業のためのコンタクトチップから被加工物までの距離を保持できる。アーク電流、ワイヤ送給速度、または移動速度のうちの少なくとも１つを設定に移行させることができる。コンタクトチップから被加工物までの距離を設定に基づいて第二のコンタクトチップから被加工物までの距離に校正できる。アーク電圧レベルを第二のコンタクトチップから被加工物までの距離に基づいて調節できる。ある実施形態において、コンタクトチップから被加工物までの距離を第二のコンタクトチップから被加工物までの距離に変更する際に移行フェーズを利用できる。例えば、溶接作業はティグ溶接作業とすることができる。
【００６２】
他の実施形態において、方法はワイヤ送給速度の調節に関するものとすることができる。溶接作業のためのワイヤ送給速度に関する使用者入力設定を受け取ることができる。溶接作業のためのコンタクトチップから被加工物までの距離をワイヤ送給速度に基づいて調節できる。アーク電流、アーク電圧、またはトラクタ溶接機の移動速度のうちの少なくとも１つの設定に関する第二の使用者入力を受け取ることができる。溶接作業のためのコンタクトチップから被加工物までの距離を保持できる。アーク電流、アーク電圧、または移動速度のうちの少なくとも１つを設定に移行させることができる。コンタクトチップから被加工物までの距離を設定に基づいて第二のコンタクトチップから被加工物までの距離に校正できる。ワイヤ送給速度を第二のコンタクトチップから被加工物までの距離に基づいて調節できる。ある実施形態において、コンタクトチップから被加工物までの距離を第二のコンタクトチップから被加工物までの距離に変更する際に移行フェーズを利用できる。例えば、溶接作業はサブアーク溶接作業とすることができる。
【００６３】
図７は、アーク電流とコンタクトチップから被加工物までの距離をアーク電圧、ワイヤ送給速度、またはトラクタ溶接機の移動速度のうちの少なくとも１つの変更に基づいて自動的に調整して溶接作業を実行する方法７００である。方法７００は溶接作業に関し、これは各種のステップを含むことができる。アークを電極と被加工物との間に生成できる。溶接ワイヤを、電極により形成された溶融池に供給できる。パラメータの設定に関する使用者入力を受け取ることができ、この設定はアークのアーク電流を変化させる（参照ブロック７１０）。パラメータを設定に移行させている間に同時に、アークのアーク電流レベルを保持することができ、電極と被加工物に関するコンタクトチップから被加工物までの距離を保持することができる（参照ブロック７２０）。アーク電流レベルを設定に基づいて第二のアーク電流レベルに校正できる（参照ブロック７３０）。コンタクトチップから被加工物までの距離を設定に基づいて第二のコンタクトチップから被加工物までの距離に校正できる（参照ブロック７４０）。溶接ワイヤを、パラメータに関する設定、第二のアーク電流レベル、および第二のコンタクトチップから被加工物までの距離で、被加工物に溶着させることができる（参照ブロック７５０）。例えば、溶接作業はミグ溶接作業とすることができる。
【００６４】
他の実施形態において、方法はアーク電圧の調節に関するものとすることができる。パラメータの設定に関する使用者入力を受け取ることができ、この設定はアークのアーク電圧を変化させる。パラメータを設定に移行させている間に同時に、アークのアーク電圧レベルを保持することができ、電極と被加工物に関するコンタクトチップから被加工物までの距離を保持することができる。アーク電圧レベルを設定に基づいて第二のアーク電圧レベルに校正できる。コンタクトチップから被加工物までの距離を設定に基づいて第二のコンタクトチップから被加工物までの距離に校正できる。溶接ワイヤを、パラメータに関する設定、第二のアーク電圧レベル、および第二のコンタクトチップから被加工物までの距離で、被加工物に溶着させることができる。例えば、溶接作業はティグ溶接作業とすることができる。
【００６５】
他の実施形態において、方法はワイヤ送給速度の調節に関するものとすることができる。パラメータの設定に関する使用者入力を受け取ることができ、この設定は溶接作業のワイヤ送給速度を変化させる。パラメータを設定に移行させている間に同時に、アークのワイヤ送給速度を保持することができ、電極と被加工物に関するコンタクトチップから被加工物までの距離を保持することができる。ワイヤ送給速度を設定値に基づいて第二のワイヤ送給速度に校正できる。コンタクトチップから被加工物までの距離を設定に基づいて第二のコンタクトチップから被加工物までの距離に校正できる。溶接ワイヤを、パラメータに関する設定、第二のワイヤ送給速度、および第二のコンタクトチップから被加工物までの距離で、被加工物に溶着させることができる。例えば、溶接作業はサブアーク溶接作業とすることができる。
【００６６】
ある実施形態において、方法は、コンタクトチップから被加工物までの距離でアークのアーク電流を制御するステップをさらに含むことができる。ある実施形態において、パラメータはアーク電圧、ワイヤ送給速度、またはトラクタ移動速度のうちの少なくとも１つである。ある実施形態において、パラメータを設定に移行させるステップは、溶接トーチのための電源、ワイヤ送給装置、または溶接トラクタの電源のうちの少なくとも１つに関する設定を変化させるステップを含む。ある実施形態において、パラメータを設定に移行させるステップは、直線的増加、直線的減少、またはパラメータをある期間にわたって設定に移行させる所定の勾配のうちの少なくとも１つである。ある実施形態において、パラメータの設定への移行は、時間に基づく移行である。ある実施形態において、方法は、少なくとも１つの移行フェーズを使って、アーク電流レベルの第二のアーク電流レベルへの、またはコンタクトチップから被加工物までの距離を第二のコンタクトチップから被加工物までの距離への変化のうちの少なくとも１つを起こさせるステップをさらに含むことができる。
【００６７】
本明細書に記載されている実施形態は、上述のシステムと方法に関しているが、これらの実施形態は例示のためのものであり、これらの実施形態の用途を本明細書に記載されているもののみに限定することは意図されていない。本明細書に記載されている制御システムと方法は、アーク溶接、レーザ溶接、ろう着、はんだ、プラズマ切削、ウォータージェット切削、レーザ切削に関するシステムと方法、および同様の制御方法を使用するその他のあらゆるシステムまたは方法にも同等に応用でき、それにおいても利用できる。当業者であれば、本明細書中の実施形態の説明をこれらのシステムと方法の何れにも容易に組み込むことができる。
【００６８】
上記の例は、本発明の各種の態様のうちのいくつかの考えうる実施形態を例示しているにすぎず、当業者であれば、本明細書と添付の図面を読み、理解したところで、同等の変更および／または改良を着想するであろう。特に、上述のコンポーネント（アセンブリ、デバイス、システム、回路、その他）により実行される各種の機能に関して、このようなコンポーネントを説明するために使用される用語（「手段」との記載を含む）は、別段の断りがないかぎり、本発明の例示された実施例における機能を実行する開示の構造と構造的に等しくなくても、記載されているコンポーネントの明記された機能を実行する（例えば機能的に同等の）ハードウェア、ソフトウェア、またはそれらの組み合わせ等のあらゆるコンポーネントにも対応することが意図される。これに加えて、本発明の特定の特徴は複数の実施例の中の１つのみに関して開示されているかもしれないが、これらの特徴は、ある、または特定の用途にとって望ましく、有利でありうるその他の実施形態の１つまたは複数の特徴と組み合わせてもよい。また、「〜を包含する（ｉｎｃｌｕｄｉｎｇ、ｉｎｃｌｕｄｅｓ）」、「〜を有する（ｈａｖｉｎｇ、ｈａｓ、ｗｉｔｈ）」という用語またはその変化形が詳細な説明および／または特許請求の範囲内で使用されているかぎり、このような用語は、「〜を含む（ｃｏｍｐｒｉｓｉｎｇ）」と同様に包含的であることが意図される。
【００６９】
ここに書かれている説明は、例を使って、最良の態様を含む本発明を開示し、また当業者が、何れかの装置またはシステムを作製し、使用し、またはその中に組み込まれている何れかの方法を実行することを含めて、本発明を実施できるようにしている。本発明の特許可能な範囲は特許請求の範囲によって定義され、当業者が着想するその他の例を含んでいるかもしれない。このようなその他の例は、それが特許請求の範囲の文言と相違しない構造的要素を有していれば、またはこれらが特許請求の範囲の文言との実質的な差のない同等の構造的要素を含んでいれば、特許請求の範囲内に含まれることが意図される。
【００７０】
本発明を実行するための最良の態様を、現時点で出願人の知る最良の態様を説明することを目的として述べた。例は例示にすぎず、本特許請求の範囲と主旨により評価される本発明を限定しようとするものではない。本発明を、好ましい、代替的実施形態に関して説明した。明らかに、当業者であれば、本明細書を読み、理解すれば、改良と変更を着想するであろう。かかる改良と変更はすべて、これらが付属の特許請求の範囲またはその均等物の範囲内に含まれているかぎり、包含されることが意図される。
【符号の説明】
【００７１】
３０  溶接トーチ
３２  溶接電極
１００  溶接システム
１０１  筐体
１０２  ガス供給元
１０３  スプール
１０４  ワイヤガイド
１０４’  ワイヤガイド
１０５  第一のマウントシステム
１０６  第二のマウントシステム
１０７  コントローラ
１１２  カメラ機器
１１３  カメラ機器
１２４  調節装置
１２６  部材
１３０  調節装置
１３２  部材
３００  溶接システム
３０２  溶接システム
３１０  第一の電源
３２０  ホットワイヤ供給装置
４００  溶接システム
４０６  電極
４０８  高さ
４１０  電源
４２０  トーチ
４３０  コントローラ
４４０  検出コンポーネント
４５０  調節コンポーネント
４６０  校正コンポーネント
５００  フロー図
５１０  参照ブロック
５２０  参照ブロック
５３０  参照ブロック
５４０  参照ブロック
５５０  参照ブロック
５６０  参照ブロック
５７０  参照ブロック
６００  方法
６１０  参照ブロック
６２０  参照ブロック
６３０  参照ブロック
６４０  参照ブロック
６５０  参照ブロック
６６０  参照ブロック
６７０  参照ブロック
７００  方法
７１０  参照ブロック
７２０  参照ブロック
７３０  参照ブロック
７４０  参照ブロック
７５０  参照ブロック
Ｇ  開先
Ｐ  管
Ｓ  シールドガス
Ｗ  被加工物／ワイヤ
Ｚ  領域
【図１】
2016540650.tif 000003
【図２Ａ】
2016540650.tif 000004
【図２Ｂ】
2016540650.tif 000005
【図３Ａ】
2016540650.tif 000006
【図３Ｂ】
2016540650.tif 000007
【図４】
2016540650.tif 000008
【図５】
2016540650.tif 000009
【図６】
2016540650.tif 000010
【図７】
2016540650.tif 000011
【国際調査報告】
2016540650.tif 000012
2016540650.tif 000013
2016540650.tif 000014